(57)【特許請求の範囲】
【請求項１】
発泡樹脂製の平面矩形の容器であり、容器体内の底部上面に、収納される包装対象物を斜めに支持できる支持用凸部が、容器体の前側壁との間及び各支持用凸部間に包装対象物の前側部を収容するための間隔をあけて前後に並列して複数突設されてなり、
前記支持用凸部が、包装対象物を斜めにして受支できる前下がりの傾斜受支面を有し、
容器体の底部の周端部のうち、少なくとも前方の端部に水抜き孔が形成されてなることを特徴とする包装用容器。
【請求項２】
前記支持用凸部は、容器体の前側壁との間及び各支持用凸部間の間隔が包装対象物の前後方向幅より小さく、該間隔内に包装対象物の前側部を収納した状態において包装対象物の後側部を前記支持用凸部の傾斜受支面で受支することで包装対象物を斜め姿勢に支持できるように設けられてなる請求項１に記載の包装用容器。
【請求項３】
容器体内部を左右部に二分した両側領域の幅方向中央部の底部上面に、それぞれ前記支持用凸部が前後に並列して複数突設され、両側領域にそれぞれ複数の包装対象物を並列して収納できることを特徴とする請求項１又は２に記載の包装用容器。
【請求項４】
包装対象物が蟹であり、前記支持用凸部が蟹の胴体部の腹側を前記傾斜受支面で受支することにより、収納した蟹を斜めに支持するように設けられてなる請求項１〜３のいずれか１項に記載の包装用容器。
【請求項５】
側壁上端の開口端部には、外側が切欠されて内側に嵌合突縁が形成され、底部下面の周縁部には容器体の段積み時に下段の容器体の嵌合突縁が嵌合し得る嵌合溝が形成されてなる請求項１〜４のいずれか１項に記載の包装用容器。
【発明の詳細な説明】
【技術分野】
【０００１】
本発明は、主として蟹等の甲殻類その他の魚介類の保存、出荷用に好適な発泡樹脂製の包装用容器に関するものである。
【背景技術】
【０００２】
発泡樹脂製の容器は、軽量で断熱性や緩衝性に優れていることから、各種の魚介類の保存、出荷用に広く使用されており、例えば蟹の出荷用の包装にも使用されている。
【０００３】
例えば、ボイルし冷却した蟹あるいは冷凍した蟹を包装用容器に収納して出荷する場合、高級食材のズワイガニの雄は、甲羅を含む胴体部分が比較的大きく、足も大きく張り出しいることから、１つの容器に１杯もしくは数杯の蟹を収納しているが、通称セコガニと呼ばれる雌蟹は、雄蟹に比べてかなり小さい（１／２程度）ことから、１つの包装用容器の中に、例えば５〜１５杯の蟹を収納して保存、出荷され、輸送先の小売店等ではその容器に収納したままで陳列されることが多い。
【０００４】
この場合、包装対象物の蟹は、容器内に前後左右に並べて収納されるが、容器内の平坦な底部上に載置されているだけであるため、輸送中の振動等によって収納されている蟹が動き易くて収納状態が乱れ易いものである。また、容器内に収納したままで店頭等に陳列した場合に前方上方から見難く不体裁であり、見栄えがしないものになる。
【０００５】
従来より、大きい蟹を収納する場合の容器として、特許文献１のように、長い足が飛び出さないように工夫した発泡樹脂製の容器が提案されているが、あくまで長い足が容器外部にはみ出るのを防止するようにしたものであって、輸送時の振動等による動きを規制するものではなく、特に複数の蟹を並べて収納した場合の動き規制については考えられていない。
【０００６】
また、蟹用の容器として、輸送時の振動による蟹の動きを規制するために、蟹の胴体部を上から押さえるようにした容器も提案されているが（特許文献２）、この場合も、比較的大きい蟹を収納する場合に、胴体部を上下から挟んで動きを規制するというものであって、複数の蟹を左右前後に並べて収納する場合の並列状態及び収納状態を外観的に体裁よく保持することについては記載がない。
【先行技術文献】
【特許文献】
【０００７】
【特許文献１】特開平９−２７２５８１号公報
【特許文献２】登録実用新案第３０２４４５３号公報
【発明の概要】
【発明が解決しようとする課題】
【０００８】
本発明は、上記の問題点を解消するためになしたものであり、包装対象の各種の魚介類、例えば蟹等の甲殻類を複数並べて収納する場合に、前方上方から見易い斜め姿勢に保持して収納でき、陳列する際の見栄えがよく、しかも輸送時の振動等による魚介類の動きを規制できて並列状態を良好に保持できる包装用容器を提供するものである。
【課題を解決するための手段】
【０００９】
上記の課題を解決する本発明の包装用容器は、発泡樹脂製の平面矩形の容器であり、容器体内の底部上面に、収納される包装対象物を斜めに支持できる支持用凸部が、容器体の前側壁との間及び各支持用凸部間に包装対象物の前側部を収容するための間隔をあけて前後に並列して複数突設されてなることを特徴とする。前記支持用凸部は、包装対象物を斜めにして受支できる前下がりの傾斜受支面を有するものである。さらに、容器体の底部の周端部のうち、少なくとも前方の端部に水抜き孔が形成されてなる。
【００１０】
この包装用容器によれば、収納する包装対象物の後側部、例えば蟹の胴体部の後側部を各支持用凸部に載せ、該胴体部の前側端を前方の支持用凸部あるいは前側壁に当接させて並列して収納する。こうして収納された蟹等の各包装対象物は、それぞれ前端部が前側壁あるいは支持用凸部に当接することで前方への移動が規制され、かつ後側部が前記支持用凸部により受支されることで、後方への動きが規制されて、前下がりの斜め姿勢に保持される。特に、支持用凸部に有する前下がりの傾斜受支面で包装対象物の後部側を受支することで、該包装対象物を斜め姿勢を安定性よく良好に保持できる。そのため、輸送時の振動や外部衝撃等によっても容易に動かず、斜め姿勢で並列した収納状態に良好に保持される。
【００１１】
前記の包装用容器において、前記支持用凸部は、容器体の前側壁との間及び各支持用凸部間の間隔が包装対象物の前後方向幅より小さく、該間隔内に包装対象物の前側部を収納した状態において包装対象物の後側部を前記支持用凸部の傾斜受支面で受支することで包装対象物を斜め姿勢に支持できるように設けられてなるものとするのが好ましい。これにより、包装対象物を斜め姿勢に保持して収納できる。
【００１２】
前記の包装用容器において、容器体内部を左右部に二分した両側領域の幅方向中央部の底部上面に、それぞれ前記支持用凸部が前後に並列して複数突設され、両側領域にそれぞれ複数の包装対象物を並列して収納できるものとすることができる。この場合、包装対象物を左右両側領域にそれぞれ複数並列して収納できる。
【００１３】
前記の包装用容器において、包装対象物が蟹であり、前記支持用凸部が蟹の胴体部の腹側を前記傾斜受支面で受支することにより、収納した蟹を斜めに支持するように設けられてなるものとすることができる。これにより蟹を見栄えよく収納できる。
【００１４】
前記の包装用容器において、側壁上端の開口端部には、外側が切欠されて内側に嵌合突縁が形成され、底部下面の周縁部には容器体の段積み時に下段の容器体の嵌合突縁が嵌合し得る嵌合溝が形成されてなるものとすることができる。これにより、包装対象物を収納した複数の容器体を安定性よく段積みできる。
【発明の効果】
【００１５】
上記したように本発明の包装用容器によれば、包装対象の各種の魚介類、例えば蟹等の甲殻類を複数並べて収納する場合に、輸送時の振動等による魚介類の動きを規制できて並列して収納した状態を良好に保持でき、輸送先で蓋を開けたときの体裁もよく、しかも前方上方から見易い斜め姿勢に保持して収納できるため、包装対象物を収納した状態のままで陳列する際に前方からの見栄えがよく、内容物の確認も容易に行えることになる。
【図面の簡単な説明】
【００１６】
【図１】本発明の包装用容器の１実施例を示す斜視図である。
【図２】同上の容器体の平面図である。
【図３】同上の容器体の底面図である。
【図４】図２のＡ１−Ａ１線での断面図である。
【図５】図２のＡ２−Ａ２線での断面図である。
【図６】包装対象物の蟹を収納した状態の容器体に蓋を被着する前の斜視図である。
【図７】包装対象物を収納して段積みした使用状態の断面図である。
【図８】同上の一部の拡大断面図である。
【発明を実施するための形態】
【００１７】
次に本発明の実施の形態を図面に示す実施例に基づいて説明する。
【００１８】
この実施例の包装用容器Ａは、発泡ポリスチレン等の発泡樹脂を素材として成形されてなるもので、底部１１と四方の側壁１２，１３とにより上方に開口する平面矩形の容器体１０からなる。この容器体１０は、これを単独で蓋なしの包装用容器Ａとして使用することもできるが、通常、図６のように、該開口端部１４に対し被着自在な蓋３０と組み合わせた包装用容器Ａとして使用され、さらに必要な場合には、図７のように、同形の複数の容器体１０が段積み使用される。
【００１９】
本発明の包装用容器Ａにおける容器体１０は、容器体内の底部１１の上面１１ａに、収納される包装対象物Ｂを斜めに支持できる支持用凸部１５、具体的には、図のように上面側に前下がりの傾斜受支面１５ａを有する支持用凸部１５が、容器体１０の前側壁１２との間及び各支持用凸部１５，１５間に、蟹等の包装対象物Ｂの前側部を収容するための間隔Ｓをあけて前後に並列して複数突設されている。
【００２１】
前記支持用凸部１５は、容器体１０の平面形状や横幅寸法によっては、横幅方向の中央部に一列に設けておくこともできるが、図示する実施例の場合は、容器体内を左右部に二分した両側領域１０ａ、１０ｂの幅方向中央部の底部１１の上面に、それぞれ前記支持用凸部１５が前後に並列して複数突設され、両側領域１０ａ、１０ｂにそれぞれ複数の包装対象物Ｂを並列して収納できるように形成されている。
【００２２】
このほか、図示していないが、容器体内を左右方向に３等分した三つの領域、あるいはそれ以上の複数の領域に区分して、各領域の幅方向中央部に前記同様の支持用凸部を前後に並列して突設しておき、包装対象物を３列以上の複数列に並列して収納し保持できるように形成して実施することもできる。各領域の支持用凸部は必ずしも左右方向に並列して配置する必要はない。
【００２３】
いずれにしても、前記各支持用凸部１５の間隔、すなわち最前部の支持用凸部１５と前側壁１２との間、及び各支持用凸部１５，１５間の各間隔Ｓは、包装対象物Ｂのサイズに応じて適宜設定されるが、通常、包装対象物Ｂの前後方向幅Ｗより小さく、該間隔Ｓ内に包装対象物Ｂの前側部を収納した状態において、包装対象物Ｂの後側部を前記支持用凸部１５の例えば傾斜受支面１５ａで受支することにより、包装対象物Ｂを斜めに支持できるように設けられる。
【００２４】
また、前記各支持用凸部１５の傾斜受支面１５ａの傾斜角度や高さは、包装対象物Ｂの種類や大きさに応じて、前方上方から見栄えよく見える斜め姿勢に安定性よく保持できるように設定される。例えば、包装対象物Ｂがボイルし冷却した蟹の場合、１５°〜４５°の斜め姿勢に保持できるように前記傾斜受支面１５ａの傾斜角度や高さが設定される。また、前記支持用凸部１５の大きさ、特に傾斜受支面１５ａの面積は、蟹の胴体部の後側部の腹側を安定性よく受支できるように設定される。また支持用凸部１５の形状は、図のように平面四角形で頂部に丸みの付いた断面三角形状をなし、後面が左右方向に直線状をなしているものが好ましいが、包装対象物Ｂの形態によっては他の形状とすることも可能である。
【００２５】
前記の包装用容器の容器体１０において、側壁１２，１３上端の開口端部１４には、図のように全周にわたって外側に切欠されることにより内側に嵌合突縁１６が形成されており、これに対応して、底部１１の下面１１ｂの周縁部が切欠形成されるとともに、この切欠部１７に、複数の容器体１０の段積み時に下段の容器体１０の嵌合突縁１６が嵌合し得る嵌合溝１８が形成されている。これにより、包装対象物Ｂを収納した複数の容器体１０を、前記嵌合突縁１６と嵌合溝１８の嵌合構造により安定性よく段積みすることができるようになっている。符号１９は前記嵌合突縁１６の外側の切欠段部を示す。
【００２６】
図中の符号２０は前記容器体１０の底部１１の周端部、具体的には前後両端部の所要の個所に形成された凹欠部２１から前記嵌合溝１８の一部に連通する水抜き孔である。この水抜き孔２０は、図８に拡大して示すように、前記嵌合溝１８の部分の一部に形成した凹部から、溝外周壁の一部に有する切欠部２２を経て容器外部に連通するように形成されており、前記前記嵌合突縁１６と嵌合溝１８とが嵌合する段積み時にも、容器外部に水抜きできるようになっている。
【００２７】
また、前記容器体１０と組み合わせ使用される蓋３０は、前記容器体１０と同様の発泡樹脂を素材として成形され、容器体１０の開口端部１４に対する嵌合による被着構造として、蓋３０の下面周縁部には、前記開口端部１４に有する嵌合突縁１６に対し嵌合する嵌合溝３１が形成されている。図の場合、前記嵌合溝３１の内側壁面には周方向の凸条３２が形成され、他方、嵌合突縁１６の内周面には前記凸条３２に対応した周方向の凹条２３が形成されており、前記嵌合溝２１と嵌合突縁１８との嵌合による蓋３０の被着時に、前記凸条３２と凹条２３が弾力的に嵌合し係合することで、蓋３０が容易に外れないようにして安定性のよい被着状態を保持できるようになっている。
【００２８】
前記蓋２０の上面における周縁部には、容器体１０に蓋３０を被着した状態で段積みする際に、容器体１０の底部の切欠部１７が嵌合する突縁３３が設けられている。
【００２９】
前記容器体１０及び蓋３０の構成材である発泡樹脂としては、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。中でも、スチレン改質ポリオレフィン系樹脂のビーズ発泡体による成形体が好適に用いられる。中でも発泡倍率が１０〜６５倍のものが好適に用いられる。
【００３０】
上記した実施例の包装用容器の使用状態について、包装対象物Ｂがボイル後に冷凍した蟹である場合を例にして説明する。
【００３１】
包装対象物Ｂである蟹を収納する場合、図７の鎖線のように、蟹の胴体部の後側部を各支持用凸部１５の傾斜受支面１５ａに載せて受支させるとともに、該胴体部の前側端を前方の支持用凸部１５の背面あるいは前側壁１２に当接させ、図6のように前後に並列させて収納する。こうして収納された各包装対象物Ｂの蟹は、それぞれ前側端が前側壁１２あるいは支持用凸部１５に当接することで前方への移動が規制され、かつ後側部が前記支持用凸部１５の傾斜受支面１５ａにより受支されることで、後方への動きが規制されるとともに、前下がりの斜め姿勢に保持される。そのため、左右部の両側領域において、それぞれ収納した蟹を斜め姿勢にして前後に並列した状態に保持できる。しかも収納された蟹は拡がりを持った傾斜受支面１５ａで受支されるために傷みが生じることもない。なお、容器体１０内には必要に応じて、蟹を収納した後、砕氷等の冷却材を入れて包装する。
【００３２】
1つの容器体１０を単独で使用する場合、そのまま上部開口を覆うように開口端部１４に蓋３０を嵌合し被着して出荷に供するが、通常は、図７のように複数の同形の容器体１０を開口端部１４の嵌合突縁１６と底部１１下面の嵌合溝１８との嵌合構造により段積みし、最上段の容器体１０に蓋３０を被着して梱包し出荷する。
【００３３】
この輸送において、前記のように、容器体１０内に収納された蟹は動きが規制されて保持されているため、輸送時の振動や外部衝撃等によっても容易に動かず、斜め姿勢の並列状態を良好に保持で、輸送先で蓋３０を開けたときの体裁もよく、しかも前方から見易い斜め姿勢に保持されているため、容器体１０内に包装対象物Ｂを収納した状態のままで陳列する際に前方からの見栄えがよく、収納されている蟹等の確認も容易に行えることになる。
【００３４】
本発明の包装用容器は、ボイルし冷却した蟹や冷凍した蟹のほか、アワビ等の平面的な拡がりを持った甲殻類その他の各種の魚介類を並列して斜め姿勢に保持して収納する場合に好適に利用できる。
【符号の説明】
【００３５】
１０…容器体、１０ａ、１０ｂ…両側領域、１１…底部、１１ａ…上面、１２，１３…側壁、１４…開口端部、１５…支持用凸部、１５ａ…傾斜受支面、１６…嵌合突縁、１７…切欠部、１８…嵌合溝、１９…切欠段部、２０…水抜き孔、２１…凹欠部、２２…切欠部、２３…凹条、３０…蓋、３１…嵌合溝、３２…凸条、３３…突縁、Ａ…包装用容器、Ｂ…包装対象物、Ｓ…間隔、Ｗ…包装対象物の前後方向幅。                          
【図１】
0005638381.tif 000002
【図２】
0005638381.tif 000003
【図３】
0005638381.tif 000004
【図４】
0005638381.tif 000005
【図５】
0005638381.tif 000006
【図６】
0005638381.tif 000007
【図７】
0005638381.tif 000008
【図８】
0005638381.tif 000009